(57)【要約】本発明は、制御キャビネットハウジング（１）内に収容された冷却装置（２）を備え、冷却装置（２）が、線形調節ユニット（３）、特にバーシステムを介して制御キャビネットハウジング（１）上に摺動可能に保持され、引き出し位置と滑り込み位置との間で調節可能であり、滑り込み位置の冷却装置（２）が制御キャビネットハウジング（１）内に完全に収容され、引出し位置において、冷却装置（２）が制御キャビネットハウジング（１）のドア側（４）を少なくとも部分的に超えて制御キャビネットハウジング（１）から突出する、制御キャビネット構成に関するものであり、閉位置において制御キャビネットハウジング（１）のドア側（４）閉じるドア要素（６）が、冷却装置（２）が滑り込み位置にあるとき、ドア要素（６）の閉位置で冷却装置（２）の空気出口（８）および／または空気入口（９）に開口する少なくとも１つの空気通路開口部（７）を有することを特徴とする。【選択図】図１
2019519023.tif 000002
【特許請求の範囲】
【請求項１】
制御キャビネットハウジング（１）内に収容された冷却装置（２）を備え、冷却装置（２）が、線形調節ユニット（３）、特にバーシステムを介して制御キャビネットハウジング（１）上に摺動可能に保持され、引き出し位置と滑り込み位置との間で調節可能であり、滑り込み位置の冷却装置（２）が制御キャビネットハウジング（１）内に完全に収容され、引出し位置において、冷却装置（２）が制御キャビネットハウジング（１）のドア側（４）を少なくとも部分的に超えて制御キャビネットハウジング（１）から突出する、制御キャビネット構成であって、閉位置において制御キャビネットハウジング（１）のドア側（４）閉じるドア要素（６）が、冷却装置（２）が滑り込み位置にあるとき、少なくともドア要素（６）の閉位置で冷却装置（２）の空気出口（８）および／または空気入口（９）に開口する少なくとも１つの空気通路開口部（７）を有することを特徴とする制御キャビネット構成。
【請求項２】
冷却装置（２）が、少なくともドア要素（６）の閉位置において、ドア要素（６）に面して好ましくはドア要素（６）に平行に配置された空気入口側（11）および／または空気出口側（12）を有する冷却装置ハウジング（10）を備えた請求項１に記載の制御キャビネット構成。
【請求項３】
ドア要素（6）が、閉位置で冷却装置（２）に面するそのドアの内側（13）において、空気通路開口部（７）を取り囲むシーリング要素（14）、特にシーリングフレームを有する請求項１または２に記載の制御キャビネット構成。
【請求項４】
閉位置において、冷却装置（２）の空気出口（９）と空気入口（９）の両方が空気通路開口部（７）に開口しており、空気通路開口部（７）が、冷却装置（２）の空気入口（９）に開口する空気入口開口部（7.1）と、空気入口開口部（7.1）から流体的に分離され冷却装置（２）の空気出口（８）に開口する空気出口開口部（7.2）の、２つの部分で設計されている請求項２または３に記載の制御キャビネット構成。
【請求項５】
空気入口開口部（7.1）と空気出口開口部（7.2）が、空気通路開口部（７）を分割するセパレータ（15）によって互いに流体的に分離されており、セパレータ（15）が、ドア要素（６）の閉位置において冷却装置（２）に面したドア内側（13）において、突出した仕切り（16）、特にブラシストリップを有し、空気入口（９）と空気出口（８）との間の空気短絡が防止される請求項４に記載の制御キャビネット構成。
【請求項６】
少なくとも空気出口開口部（7.2）が、制御キャビネットハウジング（１）から逃げる空気を空気出口開口部（7.2）を介して空気入口開口部（7.1）とは反対側の方向に案内するように設計された空気ガイド形状（17）、特に薄板を有する請求項４または５に記載の制御キャビネット構成。
【請求項７】
空気通路開口部（７）が、空気入口開口部を通る空気流方向の下流で、ドア要素（６）が閉位置にある冷却装置（２）のドア内側（13）に面する空気フィルタ（18）、特にフィルタマットを有する空気入口開口部（7.1）であるか、またはその空気入口開口部（7.1）を備えた請求項１〜６のいずれか１つに記載の制御キャビネット構成。
【請求項８】
冷却装置（２）が、制御キャビネットハウジング（１）のルーフ側（19）および／またはフロア側（20）に平行な滑り込み面において調節可能な水平滑り込み装置であり、または、冷却装置（２）が、制御キャビネットの側壁（21）に平行な滑り込み面において調節可能な垂直滑り込み装置である請求項１〜７のいずれか１つに記載の制御キャビネット構成。
【請求項９】
冷却装置（２）が、
ａ）水平滑り込み装置である場合、制御キャビネット内部（23）の水平隙間の全体にわたってドア要素（６）に面する前側（22）に延在し、
ｂ）垂直滑り込み装置である場合、制御キャビネット内部（23）の完全な垂直方向の設置寸法の全体にわたってドア要素（６）に面する前側（22）に延在し、
制御キャビネットハウジング（１）の後壁（24）に面する後側において、冷却装置（２）が、冷却装置（２）を通る水平開口として設計されたバスバー搬送空間（25）を有する請求項８に記載の制御キャビネット構成。
【請求項１０】
冷却装置（２）が、垂直滑り込み装置であって、制御キャビネットハウジング（１）のラックの２つの横方向の垂直形材（26）に隣接して配置され、電子部品を受け入れる制御キャビネット内部（23）が、前記垂直形材（26）とは反対側の冷却装置（２）の側壁によって区切られる請求項１〜９のいずれか１つに記載の制御キャビネット構成。
【請求項１１】
ドア側では、制御キャビネットハウジング（２）が、空気通路開口部（７）を有する第１のドア要素（６）と、制御キャビネット内部（23）を任意に閉鎖または開放する第２のドア要素（27）とを有する両開きドア構成を有し、開いた第１のドア要素（６）と閉じた第２のドア要素（27）により冷却装置（２）を滑り込み位置と引き出し位置との間で調節することができる請求項１０に記載の制御キャビネット構成。
【請求項１２】
ドア要素（６）の外側（28）に冷却装置（２）の装置ディスプレイ（29）が配置され、装置ディスプレイ（29）の接続ケーブル（30）がドア要素（６）を通って案内されてドア要素（６）の閉位置で冷却装置（２）に面するドア内側（13）においてドア要素（６）から現れ、ドア要素（６）に面する前側（22）において冷却装置（２）が接続ケーブル（30）を収容するためのケーブルボックス（31）を有している請求項１〜１１のいずれか１つに記載の制御キャビネット構成。
【請求項１３】
ケーブルボックス（31）がケーブル入口（32）を有し、それを通ってドア要素（６）のドア内側（13）に出ている接続ケーブル（30）が冷却装置（２）に入り込み、接続ケーブル（31）がケーブル入口（32）の方向に予圧されている請求項１２に記載の制御キャビネット構成。
【請求項１４】
ドア要素（６）が、ヒンジによって制御キャビネットハウジング（１）に回動可能に取り付けられた制御キャビネットドア、または滑り込み位置の制御キャビネットハウジング（１）のドア側（４）に面する冷却装置（２）の垂直ハウジング側に取り付けられ、ドア側（４）に対して垂直に調節可能なドアパネルのいずれかである請求項１〜１３のいずれか１つに記載の制御キャビネット構成。
【請求項１５】
ドアパネル（35）が、冷却装置（２）のハウジング側にしっかりと接続され、冷却装置（２）とは反対側の外側にハンドルを有し、ドアパネル（35）を有する冷却装置（２）が滑り込み位置と引き出し位置との間で調節可能である請求項１４に記載の制御キャビネット構成。
【発明の詳細な説明】
【技術分野】
【０００１】
本発明は、制御キャビネットハウジング内に収容された冷却装置を備えた制御キャビネット構成に関し、冷却装置は、線形調節ユニット、特にバーシステムを介して制御キャビネットハウジング上に摺動可能に保持され、引き出し位置と滑り込み位置との間で調節可能であり、滑り込み位置の冷却装置は、制御キャビネットハウジング内に完全に収容され、引出し位置において、冷却装置は、制御キャビネットハウジングのドア側を少なくとも部分的に超えて制御キャビネットハウジングから突出する。
【背景技術】
【０００２】
そのような制御キャビネット構成は、ドイツ公報DE 20 2008 003 516 U1から既知である。冷却装置は、ペルチェ素子を有し、制御キャビネットの対向する側壁に設けられたバーを介して制御キャビネットハウジング内に挿入することができる。ペルチェ素子の暖かい側を再冷却するために、ペルチェ冷却装置の温風出口に開口する制御キャビネットハウジングの後壁に空気通路開口が形成されている。
【０００３】
従来技術から既知の冷却装置は、能動冷却剤としてペルチェ素子を使用するため、比較的低い冷却能力しか提供せず、しばしば多くのＩＴ用途および電力分野における用途の冷却能力要件を満たすことができないため、不利である。
【先行技術文献】
【特許文献】
【０００４】
【特許文献１】ドイツ公報DE 20 2008 003 516 U1
【発明の概要】
【発明が解決しようとする課題】
【０００５】
したがって、本発明は、特に、冷凍機に関連して、より高性能クラスの冷却装置にも適用できるように、既知の制御キャビネット構成の解決に対処する。
【課題を解決するための手段】
【０００６】
この問題は、請求項１の特徴を有する制御キャビネット構成によって解決される。従属請求項はそれぞれ、本発明の有利な実施形態に関する。
【０００７】
したがって、閉位置で制御キャビネットハウジングのドア側を閉じるドア要素は、冷却装置が滑り込み位置にあるときに、ドア要素が閉位置にある冷却装置の空気出口および／または空気入口に開口する少なくとも１つの空気通路開口部を備えている。ドア要素は、別個の空気通路開口部を有することができ、そのうちの第１の空気通路開口部が空気出口に開口し、第２の空気通路開口部が空気入口に開口している。
【０００８】
本発明による制御キャビネット装置の空気通路開口部は、制御キャビネットハウジングの前側ドア要素に設けられているので、例えば、冷凍機の凝縮器の再冷却のために、空気通路開口部を介して十分な空気量を提供することができる。特に、問題のタイプの制御キャビネット構成が、それらの後壁が建築壁に隣接して配置されるとき、より高性能クラスの冷却装置に必要とされる空気供給量は、従来技術から既知の構成では保証されない。
【０００９】
冷却装置は、ドア要素に面する空気入口側及び／又は空気出口側を有する冷却装置ハウジングを有することができ、ドア要素が閉位置にあるときに、好ましくは、ドア要素と平行に配置される。
【００１０】
閉位置において冷却装置に面しているそのドアの内側において、ドア要素は、空気通路開口部を取り囲むシーリング要素、特にシーリングフレームを有することができる。シーリングフレームの代わりに、発泡または押出シールを設けることもできる。シーリング要素は、ドア要素が閉位置にあるとき、冷却装置の空気出口および／または空気入口の境界に対してドア内側をシールするような寸法にすることができる。
【００１１】
さらに、閉位置では、冷却装置の空気出口および空気入口の両方が空気通路開口部に開口し、空気通路開口部は、冷却装置の空気入口に開口する空気入口開口部と、空気入口開口部から流体的に分離され冷却装置の空気出口に開口する空気出口開口部と、を有する２つの部分で設計されるようにすることができる。
【００１２】
空気入口開口部および空気出口開口部は、空気通路開口部を分割するセパレータによって互いに流体的に分離されることができ、セパレータは、ドア要素が閉位置にあるとき、冷却装置に面するドア内側に突出した仕切り、特にブラシストリップを有するので、空気入口と空気出口との間の空気短絡が防止される。
【００１３】
さらに、少なくとも空気出口開口部は、空気ガイド形状、特に薄板を有することができ、それは、制御キャビネットハウジングから逃げる空気を、空気出口開口部を介して、空気入口開口部とは反対側の方向に案内するように設計されている。
【００１４】
空気通路開口部は、空気入口開口部であってもよく、または空気入口開口部を通る空気流方向の下流で、ドア要素が閉位置にある冷却装置のドア内側に面する空気フィルタ、特にフィルタマットを有する空気入口開口部を有してもよい。その結果、冷却装置の外側全体が制御キャビネット構成の周囲からの汚染物質で汚染されることを防止することができる。
【００１５】
冷却装置は、制御キャビネットハウジングのルーフ側および／またはフロア側に平行な滑り込み面において調節可能な水平滑り込み装置であってもよい。代替的に、冷却装置は、制御キャビネットの側壁に平行な滑り込み面において調節可能な垂直滑り込み装置であってもよい。
【００１６】
冷却装置が水平滑り込み装置である場合、冷却装置は、制御キャビネット内部の水平隙間の全体にわたって、ドア要素に面するその前側に延在することができる。冷却装置が垂直滑り込み装置である場合、冷却装置は、制御キャビネット内部の明確な垂直方向の設置寸法の全体にわたって、ドア要素に面するその前側に延在することができる。
【００１７】
いずれの場合においても、制御キャビネットハウジングの後壁に面するその後側において、冷却装置は、冷却装置を通る水平開口として設計されたバスバー搬送空間を有することができる。この実施形態は、制御キャビネット構成が制御キャビネットの列の構成要素である場合に特に有利であり、ここでは、問題のタイプの多数の制御キャビネット構成および／または制御キャビネットハウジングが、個々の制御キャビネットハウジングの隣接する側を通って制御キャビネットハウジングの間に延びるバスバーシステムを介して電気エネルギーが供給される、制御キャビネットの列を形成する。
【００１８】
冷却装置が垂直滑り込み装置である場合には、それは制御キャビネットハウジングのラックの２つの横方向の垂直形材に隣接して配置されることができ、したがって、電子部品を受け入れる制御キャビネット内部は、前記垂直形材とは反対側の冷却装置の側壁によって区切られる。
【００１９】
ドア側では、制御キャビネットハウジングは、空気通路開口部を有する第１のドア要素と、制御キャビネット内部を任意に閉じる２のドア要素とを有する両開きドア構成を有することができ、開いた第１のドア要素と閉じた第２のドア要素により、冷却装置を滑り込み位置と引き出し位置との間で調節することができる。したがって、例えば、冷却装置のメンテナンスの場合には、おそらく敏感な構成要素を備えた制御キャビネットの内部を開放する必要がなく、よって不正アクセスから保護されることが保証される。
【００２０】
さらに、垂直滑り込み装置は、実質的に制御キャビネット内部の深さ全体にわたって滑り込み位置の滑り込み方向に平行にその深さ方向に延在しており、あるいは、少なくとも、垂直滑り込み装置のハウジング部の１つの前側が制御キャビネットハウジングのドア側と一列に並んでいる。
【００２１】
ドア要素の外側では、冷却装置の装置ディスプレイを配置することができ、装置ディスプレイの接続ケーブルが、ドア要素を通って案内されて、ドア要素の閉位置で冷却装置に面するドアの内側のドア要素から現れ、ドア要素に面するその前側において、冷却装置は、接続ケーブルを収容するためのケーブルボックスを有している。
【００２２】
ケーブルボックスは、ケーブル入口を有していてもよく、それを通って、ドア要素のドアの内側に出ている接続ケーブルが冷却装置に入り込み、接続ケーブルはケーブル入口の方向に予圧されている。好ましくは、ケーブル入口は、ドア要素のドアの内側に面する冷却装置の前面に配置される。ケーブル入口とは反対側の冷却装置の内部に位置する後面において、ケーブルボックスは、ケーブル出口を有していてもよく、それを通って、装置ケーブルがケーブルボックスから出て、冷却装置の制御装置に案内される。
【００２３】
ドア要素は、ヒンジによって制御キャビネットハウジングに回動可能に取り付けられた制御キャビネットドアであってもよく、または滑り込み位置の制御キャビネットハウジングのドア側に面する冷却装置の垂直ハウジング側に取り付けられたドアパネルであってもよく、パネルは垂直に、すなわちドア側に対して直線的に調節可能である。
【００２４】
ドア要素が直線的に調節可能なドアパネルである場合、それは、冷却装置のハウジング側にしっかりと接続され、冷却装置とは反対側のその外側にハンドルを有し、そのためドアパネルを有する冷却装置は、滑り込み位置と引き出し位置との間で調節可能である。
【図面の簡単な説明】
【００２５】
本発明のさらなる詳細は、以下の図面を用いて説明される。
【図１】本発明の第１の実施形態による制御キャビネット構成の上部を示すものであり、冷却装置は引き出し位置にある。
【図２】図１による実施形態を示すものであり、冷却装置は滑り込み位置にある。
【図３】図１および２による実施形態を示すものであり、冷却装置は閉位置にある。
【図４】図３による実施形態を示すものであり、冷却装置および側壁は、より分かりやすくするために取り外されている。
【図５】本発明の他の実施例による制御キャビネット構成を示すものである。
【図６】ドア要素を開いた図５による実施形態を示すものである。
【図７】図６による描写の詳細図を示すものである。
【図８】ケーブルボックスの一実施形態を示すものである。
【図９】図６による描写の詳細図を示すものである。
【図１０】冷却装置を取り外した図６による実施形態を示すものである。
【図１１】図１０による描写の詳細図を示すものである。
【図１２】ドア要素がドアパネルである実施形態を示すものである。
【発明を実施するための形態】
【００２６】
図１は、本発明による制御キャビネット構成１の実施形態を示しており、冷却装置２は、制御キャビネット１のルーフ側19の直下の制御キャビネット内部23の上部領域に配置され、本質的に制御キャビネット内部23の全幅にわたって延在する、水平滑り込み装置として設計されている。冷却装置２は、引き出し位置に示されている。比較すると、図３による図は、冷却装置２が挿入された位置にあることを示している。冷却装置２を図１および図３に示す２つの位置の間で前後に調節するために、線形調節ユニット３が設けられている。
【００２７】
前側22には、冷却装置は、空気出口８と空気入口９とを有し、それによって冷却装置２の外側全体が制御キャビネットハウジング１の周囲に流体的に接続されている。図１による描写は、冷却装置の下面、すなわち冷却装置ハウジング10の制御キャビネット内部23に面する側に配置された冷却空気出口と、熱空気入口と示していないが、それによって冷却装置２の内側全体が制御キャビネット内部23の空気に流体的に接続されている。
【００２８】
制御キャビネットハウジング１は、垂直形材34にヒンジ結合されたドア要素６を有する。ドア要素６上部領域には、セパレータ15によって空気入口開口部7.1と空気出口開口部7.2に分割される空気通路開口部７が形成されている。図１と図２を併せて見ると分かるように、図２に示すドア要素６の閉位置にある空気入口開口部7.1は、冷却装置２の空気入口９に開口し、冷却装置２の空気出口８に空気出口開口部7.2が開口している。冷却装置２の空気出口側12には空気出口８が形成され、冷却装置２の空気入口側11には空気入口９が形成されており、図３に示すドア要素６の閉位置における空気入口側11および空気出口側12は、ドア要素６のドア内側13と平行に配置されている。
【００２９】
ドア内側13には、図２に示すドア要素６の長手方向の位置において空気入口側11と空気出口側12とに密封して当接する、空気通路開口部７を囲むシーリング要素14が形成されている。シーリング要素14は、例えば、連続的に閉じたシーリングリップであってもよい。
【００３０】
空気入口開口部7.1と空気出口開口部7.2との間の空気短絡を防止するために、これらは、セパレータ15によって互いに流体的に分離されている。さらに、ドア内側13には、ブラシストリップの形態の仕切り16が配置され、その剛毛はドア内側13に垂直に延び、図３の閉位置では、空気出口８と空気入口９との間、または空気入口開口部7.1と空気出口開口部7.2の間の空気短絡を防止する。空気入口開口部7.1は、空気透過性フィルタマットの形態の空気フィルタ18を用いてドア内側13によって覆われている。
【００３１】
図３は、空気出口開口部7.2上に、空気出口開口部7.2から出る空気が空気入口開口部7.1から離れるように導かれる空気ガイド形状17が形成されていることを示している。
【００３２】
図４は、制御キャブネット内部23において、上部領域に冷却装置（図示せず）が設置されているにもかかわらず、取付板５が本質的に制御キャビネット内部23の全高にわたって延在することができることを示している。制御キャビネット内部23の下方領域には、さらなる取付板５が上述した取付板５の上流に設けられている。
【００３３】
図５は、本発明のさらなる実施形態を示し、冷却装置（図示せず）が垂直滑り込み装置として設計されている。制御キャビネットハウジング１は、冷却装置２にアクセス可能な第１のドア要素６と、制御キャビネット内部23にアクセス可能な第２のドア要素27とを有する。この制御キャビネットハウジングはまた、制御キャビネットハウジング１の側壁21に隣接する左側領域において冷却装置（図示せず）が真っ直ぐに配置されるラック34を有する。これに対応して、冷却装置（図示せず）の垂直側壁は、制御キャビネットハウジングの側壁21から遠ざかる方向に向いており、制御キャビネット内部23の範囲を定めている。
【００３４】
外側28において、ドア要素６は、上側領域に空気入口開口部7.1を有し、下側領域に空気出口開口部7.2を有する。その間にある領域には、冷却装置を操作するための装置ディスプレイ29が、ドア要素６の前側28に配置されている。
【００３５】
図６は、図５よる制御キャビネット構成を示し、２つのドア要素６，27が開いており、冷却装置２および制御キャビネット内部23がアクセス可能になっている。冷却装置２は、線形調節ユニット３を介して制御キャビネットハウジング１内に挿入される。図１０に見られるように、線形調節ユニット３は、本質的に２つの対向する平行なＬ形材によって形成され、その上にある垂直冷却装置２を制御キャビネットハウジング１に挿入することができる。
【００３６】
再び、ドア要素６の開口部7.1，7.2に対応して、冷却装置２は、空気出口８と空気入口９とを有する。ドアの内側13には、開口部7.1，7.2などを囲むシーリング要素14が設けられ、ドア要素６の閉位置では、それらは、ドア要素６に面した冷却装置２の前面に密着して、空気出口８または空気入口９を囲んでいる。
【００３７】
ドアの内側13には、ディスプレイ29がドア要素６から突出して、ケーブル接続部を有し、そこから接続ケーブル30が装置ディスプレイ29から冷却装置２の前側22のケーブルボックス31まで延在していることが、さらに分かる。ケーブルボックス31を介して、接続ケーブル30は、冷却装置２の内部の電子部品を制御するようにさらに案内される。
【００３８】
後部領域において、冷却装置２は、図６に示す挿入位置にバスバー搬送空間25を有し、したがって、図６に示す複数の制御キャビネットハウジング１および／または別の制御キャビネットが制御キャビネットの列を形成するモジュール状態において、冷却装置２と干渉することなく制御キャビネットの列を通ってバスバーを案内することができる。
【００３９】
図７は、装置ディスプレイの接続を再び詳細に示している。ドアの内側では、装置ディスプレイ29がドア要素６から突出しており、接続ケーブル30を介してケーブルボックス31に接続されている。ケーブルボックス31は、ドア要素６の閉位置でケーブルを受け入れ、図７に示すドア要素６の開調節位置でそれを開けるように設計されている。そのために、予め装填されたケーブルドラムをケーブルボックス31に組み込むことができる。
【００４０】
ケーブルボックス31は、図８に示されている。前側にはケーブル入口32があり、後側にはケーブル出口33があり、それを介して、接続ケーブル30（図７を参照）は、冷却装置の制御電子部品に接続されるためにケーブルボックス31から出ることができる。
【００４１】
図９による描写は、図６による実施形態の上部領域を示す。空気入口開口部7.1を取り囲むシーリング要素14は、ドア要素６のドア内側13に配置されている。さらに、ドア内側13において、フィルタマットの形態のエアフィルタ18が、ドアエレメント６を通る流体の流れ方向において、空気入口開口部7.1の下流に配置され、前記フィルタマットは、シール要素14によって取り囲まれている。シーリング要素14は、外部シーリングフランジを有し、それによってドア要素６が閉位置にあるとき、冷却装置２の前面22に密封して当接し、冷却装置２の空気入口を囲むだけであることが分かる。
【００４２】
図１０において、冷却装置２は、図５〜９に示す制御キャビネットハウジング１の実施形態から完全に取り外されている。その結果、制御キャビネットハウジング１のフロア側に形成された２つの対向するＬ形材の形態の線形調節ユニット３が見える。Ｌ形材は締結座を有し、床側において、冷却装置は対応するねじ座を有しているので、Ｌ形材と冷却装置２との間の所定の配置において、Ｌ形材を冷却装置２と一緒にねじ止めすることができる。
【００４３】
図１０と図１１を併せて見ると、Ｌ形材が制御キャビネット側の範囲を決める２つの垂直形材26にしか到達しないので、図１０に示す制御キャビネットハウジング１の左の側壁21に直接隣接している制御キャビネットハウジング１内に、冷却装置２を省スペースで収容することができることがさらに示されており、その結果、可能な限り大きな制御キャビネット内部23が、電子部品を収容するために残る。
【００４４】
図１２は、図６に示す制御キャビネット構成とは異なる制御キャビネット構成を示しており、ドア要素６は、制御キャビネットハウジング１にヒンジ止めされたドアではなく、ドア側４に対して垂直に調節可能であって、制御キャビネットハウジング１のドア側４が滑り込み位置にあるとき、制御キャビネットハウジング１と面する冷却装置２の垂直ハウジング側に取り付けられている、ドアパネル35である。ドアパネル35は、冷却装置２のハウジング側に強固に接続されており、その外側に冷却装置２とは反対側にハンドル36を有しているので、ドアパネル35を備えた冷却装置２は、滑り込み位置と引き出し位置との間で調節可能である。別のドア要素27は、制御キャビネット内部23を選択的に閉じることができるように残っている。示された引き出し位置において、冷却装置２は、ハウジングから完全には取り外されず、閉じられた別のドア要素27とともに、この調節位置において閉じられたままである。
【００４５】
上述の説明、図面、および特許請求の範囲に開示された本発明の特徴は、単独でも、任意の組み合わせでも、本発明の実現のために不可欠である。
【符号の説明】
【００４６】
１  制御キャビネットハウジング
２  冷却装置
３  線形調節ユニット
４  ドア側
５  取付板
６  ドア要素
７  空気通路開口部
7.1  空気入口開口部
7.2  空気出口開口部
８  空気出口
９  空気入口
10  冷却装置ハウジング
11  空気入口側
12  空気出口側
13  ドア内側
14  シーリング要素
15  セパレータ
16  仕切り
17  空気ガイド形状
18  空気フィルタ
19  ルーフ側
20  フロア側
21  側壁
22  前側
23  制御キャビネット内部
24  後壁
25  バスバー搬送空間
26  垂直形材
27  別のドア要素
28  外側
29  装置ディスプレイ
30  接続ケーブル
31  ケーブルボックス
32  ケーブル入口
33  ケーブル出口
34  ラック
35  ドアパネル
36  ハンドル
【図１】
2019519023.tif 000003
【図２】
2019519023.tif 000004
【図３】
2019519023.tif 000005
【図４】
2019519023.tif 000006
【図５】
2019519023.tif 000007
【図６】
2019519023.tif 000008
【図７】
2019519023.tif 000009
【図８】
2019519023.tif 000010
【図９】
2019519023.tif 000011
【図１０】
2019519023.tif 000012
【図１１】
2019519023.tif 000013
【図１２】
2019519023.tif 000014
【国際調査報告】
2019519023.tif 000015
2019519023.tif 000016
2019519023.tif 000017
2019519023.tif 000018